(57)【要約】【課題】利用者に対して受動的な刺激を与え、自由な発想を喚起する発想支援システムを提供する。【解決手段】ネットワーク３を介して接続された一つ又は複数の端末装置５において入力されたアイデア情報を受け取る受取手段１１と、受け取ったアイデア情報をアイデア情報に対する属性情報と関連付けて記録するアイデア情報記録手段１３と、アイデア情報記録手段１３に記憶されたアイデア情報の中から一つ又は複数のアイデア情報をランダムに抽出する抽出手段１５と、発想支援情報として、少なくとも抽出されたアイデア情報の見出し情報を端末装置５へ送信する送信手段１７と、を備える。【選択図】図２
2007323574.tif 000002
【特許請求の範囲】
【請求項１】
ネットワークを介して接続された一つ又は複数の端末装置において入力されたアイデア情報を受け取る受取手段と、
受け取った前記アイデア情報を前記アイデア情報に対する属性情報と関連付けて記録するアイデア情報記録手段と、
前記アイデア情報記録手段に記憶された前記アイデア情報の中から一つ又は複数の前記アイデア情報をランダムに抽出する抽出手段と、
発想支援情報として、少なくとも抽出された前記アイデア情報の見出し情報を前記端末装置へ送信する送信手段と、を備える発想支援システム。
【請求項２】
前記アイデア情報を評価する評価手段を備え、
前記抽出手段は、前記評価手段による評価結果に基づいて抽出確率を変更する請求項１に記載の発想支援システム。
【請求項３】
特定業務に従事する業務グループの構成員が共通に利用する業務ポータルサイトの表示情報を、前記各構成員が使用する前記端末装置が表示可能な形式で送信すると共に、当該業務ポータルサイトを経由して情報を入力可能とするポータルサイト制御手段を備え、
前記受取手段は、前記業務ポータルサイトを経由して入力された前記アイデア情報を受け取り、
前記送信手段は、前記ポータルサイト制御手段を介して、前記業務ポータルサイト上に表示可能な形式で前記発想支援情報を送信する請求項１又は２に記載の発想支援システム。
【請求項４】
少なくとも配信日時及び配信先を含む設定情報と共に予め登録され、アイデア創出の指針となる題目情報を記憶する題目情報記憶手段を備え、
前記送信手段は、前記配信日時及び前記配信先に応じて、前記題目情報を前記発想支援情報として送信する請求項１〜３の何れか一項に記載の発想支援システム。
【発明の詳細な説明】
【技術分野】
【０００１】
本発明は、自由な発想を喚起する発想支援システムに関する。
【背景技術】
【０００２】
今日、世界規模での事業活動の活性化により、企業から顧客に対する、新規商品、新規サービスの提供も激しい競争の下にある。各企業の企画部門、開発部門においては、日々、新規事業の発想が試みられているが、日常業務に忙殺されて、こういった発想に充てる時間を多く取れないという実体がある。そこで、このような発想を支援する発想支援装置なども提案されている。
【０００３】
例えば下記に出典を示す特許文献１には、いわゆる「なぞかけ」を行う仕組みを機械的に実現する発想支援装置の発明が記載されている。この発想支援装置は、日本古来の言葉遊びである「Ａと掛けてＢと解く、その心は、・・・」に相当する「Ａ」という単語を入力すると、「Ｂ」の関係となる単語を検索する。そして、この「Ｂ」という単語を提示することで、発想支援装置の利用者は、今までにない発想が刺激されるという効果が期待できる。
この特許文献１には、パジャマの販売促進に際してのキャッチコピーを発想する場合の実施形態が例示されている。ここでは、上記Ａに相当する「パジャマ」から、Ｂに相当する「暇つぶし」を検索している。発想支援装置の利用者は、これにより発想刺激を受けて、キャッチコピーを発想する。
【０００４】
【特許文献１】特開平８−８７５０３号公報
【発明の開示】
【発明が解決しようとする課題】
【０００５】
このような発想支援装置は、上記特許文献１に示された実施形態の「パジャマ」のように、予め想定された商品などに関する発想を喚起する場合には有効なものである。しかし、「パジャマ」のように上記Ａに相当する語句を入力する必要があり、完全に自由な発想には向かないものである。少なくとも、Ａに相当する語句は独自に発想する必要があり、その後の発想を支援するものである。従って、これは、いわば能動的な刺激を与える装置であって、受動的な刺激を与える装置ではない。完全に自由な発想を喚起するには、さらに受動的な刺激を与える発想支援装置（システム）が要求される。
【０００６】
本願は、上記課題に鑑みて創作されたもので、利用者に対して受動的な刺激を与え、自由な発想を喚起する発想支援システムを提供することを目的とする。
【課題を解決するための手段】
【０００７】
上記目的を達成するための本発明に係る発想支援システムの特徴構成は、
ネットワークを介して接続された一つ又は複数の端末装置において入力されたアイデア情報を受け取る受取手段と、
受け取った前記アイデア情報を前記アイデア情報に対する属性情報と関連付けて記録するアイデア情報記録手段と、
前記アイデア情報記録手段に記憶された前記アイデア情報の中から一つ又は複数の前記アイデア情報をランダムに抽出する抽出手段と、
発想支援情報として、少なくとも抽出された前記アイデア情報の見出し情報を前記端末装置へ送信する送信手段と、を備える点にある。
【０００８】
自由なアイデアを喚起する発想法には、従来種々のものが提案されている。例えば、連想刺激法という方法は、人の感覚を刺激することにより、アイデアを誘発する方法である。連想刺激法の一つで、刺激語法と称されるものは、語句が記載されたカードから任意のカードを抜き取り、その語句から連想して発想するとういう方法である。
上記特徴構成によれば、この刺激語に相当する発想支援情報として、少なくともアイデア情報の見出し情報を端末装置へ送信する。従って、本発明の発想支援システムは、利用者に対して受動的に与える刺激によって、自由な発想を喚起することができる。
【０００９】
また、「刺激」として端末装置に送信される発想支援情報は、端末装置において入力され、アイデア情報記録手段に記録されたアイデア情報から、ランダムに抽出されたものである。
発想法の一つとしてよく知られたブレーン（ブレイン）ストーミング法の一つの特徴は、他人の発想に対して便乗発展させる点にある。アイデア情報記録手段に記録されたアイデア情報から、ランダムに抽出され、刺激として示された発想支援情報は、この「他人の発想」に相当し、便乗発展のきっかけともなる。また、発想支援情報は、ランダムに抽出されるので、過去に見たことのあるアイデア情報の見出し情報であっても、時間をおいて再度見たことによって、新たな発想が喚起される場合もある。また、基本的には個人個人が使用する端末装置を用いて、ブレーンストーミング法のようなグループ発想法を擬制することができる。
このように、本発明によれば、利用者に対して受動的な刺激を与え、自由な発想を喚起する発想支援システムを提供することができる。
【００１０】
尚、アイデア情報は、新規アイデアのみではなく、新規アイデアに対するコメントや、新規アイデアを入力した利用者自身による修正、更新なども含む。
【００１１】
また、本発明に係る発想支援システムは、さらに、前記アイデア情報を評価する評価手段を備え、前記抽出手段が、前記評価手段による評価結果に基づいて抽出確率を変更することを特徴とする。
【００１２】
上述した刺激語法では、刺激を受けそうな語句が予め、用意される。一方、本発明のアイデア情報は、端末装置において自由に入力されたアイデアであるから、刺激を受けそうであるか否かとは無関係に、抽出手段によって抽出される。しかし、本特徴構成によれば、アイデア情報を評価する評価手段を備え、抽出手段は、評価結果によって抽出確率を変更する。従って、例えば、刺激を受ける確率が高いと考えられるアイデア情報の抽出確率を高くするなど、発想支援システムの利用効果を向上させることができる。
尚、評価手段は、所定の評価基準によって、アイデア情報を評価するものであると、好ましい。そして、この所定の評価基準は、他の利用者によるアイデア情報の閲覧回数や、当該アイデア情報を刺激として発想されたアイデアの数、他の利用者による投票結果などを用いることができる。
【００１３】
また、本発明に係る発想支援システムは、さらに、特定業務に従事する業務グループの構成員が共通に利用する業務ポータルサイトの表示情報を、前記各構成員が使用する前記各端末装置が表示可能な形式で送信すると共に、当該業務ポータルサイトを経由して情報を入力可能とするポータルサイト制御手段を備えることを特徴とする。
そして、前記受取手段が、前記業務ポータルサイトを経由して入力された前記アイデア情報を受け取り、前記送信手段が、前記ポータルサイト制御手段を介して、前記業務ポータルサイト上に表示可能な形式で前記発想支援情報を送信することを特徴とする。
【００１４】
この特徴構成によれば、特定業務に従事する業務グループの構成員である本システムの利用者は、業務ポータルサイト上で、発想支援を受けることができる。つまり、業務ポータルサイト上で、刺激としての発想支援情報を見ることができると共に、自身が発想したアイデア情報を入力することができる。
業務ポータルサイトは、業務中に目にすることが多いサイトである。従って、いわゆる日常業務の過程において、発想の刺激を受け、自由な発想が喚起される。発想支援システムが別のサイトであると、利用者はブラウザを用いてそのサイトへわざわざ接続しなければならない。これは、能動的に発想しようとする試みとなるので、僅かであっても利用者に緊張感を強いる可能性があり、日常的な発想を喚起するという観点からは好ましくない。しかし、本特徴構成のように業務ポータルサイト上で発想支援を可能とすれば、発想の非日常性を緩和することができ、自由な発想を喚起できる可能性が高くなる。
【００１５】
自由な発想に関しては、例えば、三上（馬上・枕上・廁上）において、ひらめきを得易いとも言われている（中国（北宋）の政治家・学者であった欧陽修の言葉とされる。）。つまり、リラックスしており、何気ない時間帯に新たな発想が喚起されるというものである。本特徴構成によれば、ちょっとした休憩時間などに発生する「三上」の状況を効果的に利用できる可能性が高くなる。従って、発想に関して緊張を強いられず、日常的な行動としての発想を適切に刺激することができる。
【００１６】
また、本発明に係る発想支援システムは、さらに、少なくとも配信日時及び配信先の設定情報と共に予め登録され、アイデア創出の指針となる題目情報を記憶する題目情報記憶手段を備えることを特徴とする。
そして、前記送信手段が、前記配信日時及び前記配信先に応じて、前記題目情報を前記発想支援情報として送信することを特徴とする。
【００１７】
この特徴構成によれば、ランダムに抽出され送信されるアイデア情報の見出し情報に加えて、アイデア創出の指針となる題目情報が、発想支援情報として送信される。従って、この題目情報を刺激として発想してもよいし、アイデア情報の見出し情報との組み合わせを刺激として発想してもよい。つまり、発想支援情報として題目情報を加えることにより、発想のための刺激を多く与えることができる。
また、題目情報の送信先は、業務上使用する端末装置に限定されず、種々の端末装置が設定可能である。例えば、モバイルタイプの端末装置と、職場の固定的な端末装置との両方を送信先として設定すれば、職場内に留まらず、職場外においても題目情報を知ることができる。その結果、上記「三上」に相当するとも言える通勤や出張などの移動中においても、何かを発想する可能性を高めることができる。
【発明を実施するための最良の形態】
【００１８】
以下、本発明の実施形態を図面に基づいて説明する。
図１は、本発明に係る発想支援システムと端末装置とネットワークとの関係を示す説明図である。図１に示すように、発想支援システム１は、ネットワーク３を介して、単数又は複数の端末装置５（５ａ、５ｂ、５ｃ）と接続されている。発想支援システム１及び端末装置５は、本実施形態では、それぞれ独立したコンピュータシステム（パーソナルコンピュータ、ワークステーションなど）である。但し、一つのコンピュータシステムが、発想支援システム１と、端末装置５との双方の機能を担うことを妨げるものではない。
また、それぞれのコンピュータシステムは、必要に応じて、ＣＰＵ、メモリ、ハードディスク、キーボード、マウス、タッチパッド、ディスプレイ、ディスクドライブなどを備えて構成されている。ネットワーク３は、インターネット、イントラネットなどである。
【００１９】
以下、少なくとも一つのネットワーク３を介して、特定業務に従事する業務グループの構成員が、発想支援システム１に共通にアクセス可能である場合を例として、本実施形態を説明する。これら構成員は、各員固有のログインＩＤを有し、各員に貸与された端末装置５を用いて、イントラネットを通じて、業務ポータルサイトにアクセスすることが可能である。従って、これらの構成員が、発想支援システム１を利用する利用者となる。
【００２０】
図２は、本発明に係る発送支援システムの構成を模式的に示すブロック図である。図に示すように、発想支援システム１は、ポータルサイト制御手段１０と、受取手段１１と、アイデア情報記録手段１３と、評価手段１４と、抽出手段１５と、題目情報記憶手段１６と、送信手段１７とを有している。
これら各手段は、機能としての分担を示すものであり、必ずしも物理的に独立したものを示すものではない。例えば、ハードディスクに格納されたプログラムと、ＣＰＵとの協業によって実現されるものであってもよい。
【００２１】
また、本例では、発想支援システム１は、ネットワーク３として、イントラネット３Ａとインターネット３Ｂとに接続されている。インターネット３Ｂには、イントラネット３Ａやファイヤーウォールサーバを介して接続されることが多いが、この構成は公知であり、簡略化のため図２のように示す。また、ネットワーク３にはエクストラネットも含む。
端末装置５は、イントラネット３Ａに接続されるものに限定されず、インターネット３Ｂに接続されるものも含む。また、利用者が個人で所有するパーソナルコンピュータ、携帯電話、携帯情報端末（ＰＤＡ）なども含まれる。
【００２２】
ポータルサイト制御手段１０は、業務ポータルサイトの表示情報を、各利用者が使用する端末装置５が表示可能な形式で送信すると共に、当該業務ポータルサイトを経由して情報を入力可能とする。業務ポータルサイトとは、特定業務に従事する業務グループの構成員（利用者）が共通に利用するイントラネット３Ａ上のサイトである。
上述したようにポータルサイト制御手段１０も、ハードウェアとソフトウェアとの協業により実現される。例えば、ＣＰＵ、メモリ、ハードディスクなどと、ＨＴＭＬ（hypertext markup language）やＸＭＬ（extensible markup language）、ＣＧＩ（common gateway interface）などにより記述されたプログラムなどとの協業により実現される。
【００２３】
受取手段１１は、端末装置５において入力されたアイデア情報を受け取るものである。つまり、利用者が発想したアイデアは、端末装置５において入力され、受取手段１１は、この入力されたアイデアが電子化された情報をアイデア情報として受け取る。アイデアは、具体的には、後述するようにブラウザ（閲覧ソフトウェア）上の入力フォームなどを利用して入力される。
アイデア情報記録手段１３は、受け取ったアイデア情報をアイデア情報に対する属性情報と関連付けて記録する。属性情報とは、アイデアが入力された日時、利用者のＩＤ、カテゴリーなどのキーワード、アイデアのきっかけ、評価の点数などである。これら属性情報は、アイデア情報の表示やソート、分類など、データベース処理に利用される。
【００２４】
抽出手段１５は、アイデア情報記録手段１３に記録されたアイデア情報の中から、一つ又は複数のアイデア情報をランダムに抽出する。
送信手段１７は、発想支援情報として、少なくとも抽出されたアイデア情報の見出し情報を端末装置５に送信する。発想支援情報とは、下記題目情報を含め、利用者による自由な発想を喚起するための情報である。
評価手段１４は、入力されたアイデア情報を評価する。抽出手段１５は、評価手段１４の評価結果に基づいて、抽出確率を変更することができる。
題目情報記憶手段１６は、少なくも配信日及び配信先を含む設定情報と共に予め登録され、アイデア創出の指針となる題目情報を記憶する。送信手段１７は、配信日時及び配信先に応じて、題目情報を発想支援情報として送信することができる。
【００２５】
発想支援システム１の詳細の説明に先立って、発想法（発想技法）について説明する。
自由な発想を喚起する発想技法には、従来種々のものが提案されている。例えば、連想刺激法という方法は、人の感覚を刺激することにより、アイデアを誘発する方法である。連想刺激法の一つで、刺激語法と称されるものは、語句が記載されたカードから任意のカードを抜き取り、その語句から連想して発想するとういう方法である。
また、ブレーン（ブレイン）ストーミング法は、他人の発想に対して便乗発展させる点を一つの特徴とする。従って、ブレーンストーミング法は、基本的にはグループによる発想法である。
また、発想法とは異なるが、例えば、三上（馬上・枕上・廁上）の環境下で、発想がひらめき易いとも言われている。つまり、リラックスしており、何気ない時間帯に発想が喚起されるというものである。
発想支援システム１は、このような発想技法や、発想のための環境整備を利用者に対して受動的に行うことによって、自由な発想を喚起させるものである。
【００２６】
図３は、業務ポータルサイトのトップページ２０の表示例を示す説明図である。この業務ポータルサイトは、特定業務に従事する業務グループの構成員（発想支援システムの利用者）が利用する日常業務ツールを集積した代表ページである。日常業務ツールとは、例えばスケジューラ、日報システム、勤怠管理システム、掲示板、電話帳、メーラ（電子メール送受信ソフトウェア）などである。
利用者は、各自の端末装置５において、ブラウザ（閲覧ソフトウェア）を起動し、業務ポータルサイトのトップページ２０を表示させる。そして、利用者は、トップページ２０を介して種々の日常業務ツールへアクセスする。
【００２７】
図３に示すように、業務ポータルサイトのトップページ２０には、いくつかの領域に分かれて様々な情報が表示されている。
領域２１０には、チーム活動に関するツールへのハイパーリンク（以下、適宜単にリンクと称する。）が設定されている。
領域２２０には、予定や連絡先に関するツールやデータベースへのリンクが設定されている。
領域２３０には、種々のユーティリティーソフトウェアやツールへのリンクが設定されている。
領域２４０には、締め切りに近いスケジュールが自動的に表示される。
領域２５０には、業務グループ内の連絡事項等を伝達する掲示板が設けられている。
領域２６０には、通勤の助けとなる時刻表が表示されている。
領域２７０には、時計が表示されている。例えば、時刻表と時計とが連動し、発車時刻までの時間を自動計算して表示可能となっている。従って、利用者は、終業時や外出直前に業務ポータルサイトの領域２６０を確認することによって、時間を有効に活用することができる。また、後述するように、この時間を発想のために有効に活用することも可能となる。
【００２８】
このように、業務上必要とされる多くのツールへのアクセスが、業務ポータルサイトを介して可能にされている。従って、利用者は業務時間中に、トップペー２０を表示、あるいはディスプレイ上では画面（ウィンドウ）を最小化してもブラウザを起動したままで業務を行う場合が多い。
【００２９】
トップページ２０の領域２００は、発想支援システム１のトップページに相当するアイデアラボのトップページ２００である。アイデアラボのトップページ２００は、さらに領域２０１、２０３、２０５、２０７の細分化された領域を有している。詳細については後述するが、各領域には以下のような内容が表示されている。
【００３０】
領域２０１は、題目情報が表示される領域である。
領域２０３は、種々のリンクや入力フィールド、実行ボタンなどを備えた領域である。符号２０３ａは、新規作成ページへのリンク、符号２０３ｂは、投稿されたアイデア（アイデア情報）の評価や件数のランキングへのリンク２０３ｂである。符号２０３ｃは、投稿されたアイデアの検索語句の入力フィールドであり、符合２０３ｄは、検索の実行ボタンである。符号２０３ｅは、投稿されたアイデアをカテゴリー別に分類したアイデアリスト表示ページへのリンクである。
領域２０５は、後述するランダムピックアップが表示される領域である。
領域２０７は、投稿されたアイデアのタイトル（アイデア情報の見出し情報）が投稿順に表示される領域である。各タイトルは、アイデア情報へのリンク２０７ｂ〜ｅとなっている。ここでは、画面の制約上、全てのタイトルは表示されない。例えば、「全部見る」の実行ボタン２０７ａを操作することによって、別の画面を用いて全てのタイトルを表示させるようにすることもできる。この場合、当然、画面上には表示しきれないので、適宜ページを分割したり、スクロールバーを表示したりする。
【００３１】
図４は、新規作成ページ４０の表示例を示す説明図である。
図３に示したアイデアラボの領域２００のリンク２０３ａをマウスなどのポインティングデバイスや、キーボード操作によって選択することによって、図４に示す新規作成ページ４０が表示される。
新規作成ページ４０は、種々の入力フィールド、ラジオボタン、選択メニュー、実行（送信）ボタンなどを有している。入力フィールドやラジオボタンなどを利用して入力された情報は、ＣＧＩなどを利用して受取手段１１が受け取る。新規作成ページ４０の内容が記載されたＨＴＭＬやＣＧＩ、ＣＧＩの中のプログラム、ブラウザなどのソフトウェア、及びＣＰＵ、メモリ、ハードディスクなどのハードウェアは協業して受取手段１１を構成する。
【００３２】
符号４０ａは、タイトルを入力する入力フィールドである。
符号４０ｂは、アイデアの内容を入力する入力フィールドである。
符号４０ｃは、このアイデアに対して他の利用者のコメントを許可するか否かを選択するラジオボタンである。
符号４０ｄは、選択メニューである。選択メニューからは、カテゴリーの種類が選択できる。被選択数が少ない場合には、ラジオボタンやチェックボックスを用いてもよい。このカテゴリーは、本発明の属性情報の一つである。属性情報は、電子化されたアイデア情報と共に、アイデア情報記録手段１３に記憶される。属性情報は、アイデア情報の分類や、検索の際のキーワードとしても用いられる。
符号４０ｅは、入力されたアイデアを発想支援システム１に、より詳しくは受取手段１１を介してアイデア情報記録手段１３に登録する実行（送信）ボタンである。受取手段１１は、業務ポータルサイトを経由して入力されたアイデア情報を受け取る。アイデア情報記録手段１３は属性情報と関連付けてアイデア情報を記録する。ここで、属性情報は、上述したカテゴリーに限定されるものではなく、日時、利用者のＩＤなども含まれる。アイデア情報記録手段１３は、ハードディスクなどを用いて構成される。
【００３３】
また、本例では、入力したアイデアを直ちに公開するか否かについても設定可能である。符号４０ｆは、入力したアイデアを直ぐに追加するか、後で追加するかを選択可能なラジオボタンである。また、符号４０ｇは、後で追加する場合の日時を設定する入力フィールドである。
尚、ここでいう、「追加」とは、例えば図３に示した領域２０７への追加（表示）のことを示す。つまり、利用者から見える部分での追加であり、アイデア情報記録手段１３には、上述した実行ボタン４０ｅへの操作によって追加（登録）される。この時、ラジオボタン４０ｆや入力フィールド４０ｇを介して入力された情報は、属性情報として当該アイデア情報と共に記録される。従って、指定日時の到達前には、検索対象からも除外することができる。
【００３４】
図５は、アイデアリスト表示ページの表示例を示す説明図である。
上述したように、「全部見る」の実行ボタン２０７ａを操作することによって、例えば全てのアイデア（タイトル）のリストを表示させるようにすることができる。また、リンク２０３ｅから、カテゴリーごとにアイデア（タイトル）のリストを表示させることもできる。何れの場合にも、一つの画面上に表示しきれない場合があるので、適宜複数ページを用いたり、スクロールバー３０ｓを表示したりする。符号３０ｆは、ページ切り替えのリンク（又は、実行ボタン）である。また、ページ全体は２つの領域３０ａと３０ｂとに分割されている。そして、領域３０ａにはリストが表示され、領域３０ｂには、トップページ２０と同様に新規作成ページ４０や他のカテゴリー表示へのリンク、検索やログインのための入力フィールドなどが設けられている。
アイデアリストは、領域３０ｃにタイトル（アイデア情報の見出し情報）を表示することによって表示され、このタイトルは、アイデアの本文に対するリンクとなっている。また、そのアイデア情報に対するコメントへのリンク３０ｄも設けられている。アイデアの投稿者のＩＤや名前もリンク３０ｅとして設けられている。このリンク３０ｅは、例えばメーラーと関連付けられて、投稿者へ電子メールを送信可能に構成されてもよい。
【００３５】
図６は、入力されたアイデア情報の表示及びそれに対するコメントを入力するページ５０の表示例を示す説明図である。
アイデアリスト表示ページ３０と同様に、一つの画面上に表示しきれない場合があるので、適宜複数ページを用いたり、スクロールバー５０ｓを表示したりする。また、全体を２つの領域５０ａと５０ｂとに分割し、領域５０ａにリストを表示し、領域５０ｂには、トップページ２０と同様に新規作成ページ４０へのリンク５０ｍなどを設けている。
発想法の一つとしてよく知られたブレーンストーミング法の一つの特徴は、他人の発想に対して便乗発展させる点にある。当該アイデア表示／コメント入力ページ５０に表示された他人の発想に便乗発展させた発想を、リンク５０ｍを経て開いた新規作成ページ４０を介して投稿することができる。基本的には個人個人が使用する端末装置を用いて、ブレーンストーミング法のようなグループ発想法を擬制することができる。
【００３６】
他の領域には、下記に示すような内容が示されている。
領域５０ｃには、本発明の見出し情報に相当するタイトルが表示される。
領域５０ｄには、アイデアの本文が表示される。
領域５０ｅには、当該アイデアに対する評価の累計値が示される。抽出手段１５は、この累計値によって、ランダムに抽出するアイデア情報の抽出確率を変更する。
符号５０ｆは、当該アイデアに対する評価をポイント形式で加点又は減点するためのリンク（又は、実行ボタン）である。このリンク（実行ボタン）や、これによって起動されるＣＧＩ、並びにＣＰＵなどは、本発明の評価手段１４を構成する。
領域５０ｇには、当該アイデアに対して寄せられたコメント本文が表示される。
符号５０ｈは、当該アイデア及びそれに対するコメントに対して新たなコメントを入力するための入力フィールドである。
符号５０ｉは、コメントの投稿者の名前を入力する入力フィールドである。
符号５０ｊは、コメントを送信するための実行ボタンである。コメントが追加された場合も、新規作成時と同様に、トップページ２０（２００）の領域２０７の最新の投稿の欄に表示される。
領域５０ｋには、その他の関連情報が表示される。
【００３７】
また、評価手段１４は、ＣＧＩやその他のプログラムなどを用いて下記のような機能を有することもできる。
上述したように、分割された画面左側の領域５０ｂには、新規作成ページ４０へのリンクが設けられている。このリンク５０ｍを経由した新規作成ページ４０において入力されたアイデアが投稿された場合には、評価手段１４は、当該アイデア表示／コメント入力ページ５０に表示されたアイデア情報に対して加点する。つまり、当該アイデア情報を刺激として新しいアイデアが創出されたからである。
また、当該アイデア表示／コメント入力ページ５０は、アイデア情報ごとの閲覧回数をカウントするカウンタを有していてもよい。そして、評価手段１４は、この閲覧回数に応じて、各アイデア情報に対して加点又は減点してもよい。つまり、優れたアイデアほど閲覧回数が増える傾向があるからである。
【００３８】
図７は、図３〜６に示し、上述した各ページの遷移の関係を示す説明図である。トップページ２０からは、上述したように、新規作成ページ４０、アイデアリスト表示ページ３０、アイデア表示／コメント入力ページ５０の何れのページへも遷移可能である。また、これらのページから、トップページ２０（２００）へも遷移可能である。
例えば、新規作成ページ４０において、新しいアイデアを入力、送信すると、トップページ２０へ自動的に遷移する。トップページ２０の領域２０７には、投稿した新しいアイデアのタイトルが表示され、正しくアイデアが投稿された（送信されて記録された）ことが確認できる。新規作成ページ４０で、「後で追加」を選択したような場合には、別途、ポップウィンドゥを用いて受け付けたことを表示したり、電子メールで利用者に通知したりしてもよい。アイデア表示／コメント入力ページ５０において、コメントを投稿した場合も同様である。尚、新規作成ページ４０は、上述したようにアイデアリスト表示ページ３０や、アイデア表示／コメント入力ページからも遷移可能である。
また、アイデアリスト表示ページ３０やアイデア表示／コメント入力ページ５０からは、これらのページ設けられたトップページ２０へのリンク（不図示）によって、トップページ２０へ遷移可能である。
【００３９】
抽出手段１５は、このようにして投稿され、アイデア情報記録手段１３に記録されたアイデア情報をランダムに抽出する。抽出されたアイデア情報は、そのタイトル（見出し情報)が、トップページ２０（２００）のランダムピックアップの領域２０５に表示される。本例では、２つ抽出される例を示している。もちろん１つのタイトルを表示させてもよい。本例では、「動物の生態利用」（符号２０５ａ）と、「携帯でリモコン操作」（符号２０５ｂ）の２つが抽出され、表示されている。
発想法の一つとして、焦点法と称されるものがある。これは、直接関係のないものや、一見関係なさそうな要素を結びつけることによって発想を転換し、アイデアを引き出す方法である。２つのタイトルを表示させた場合には、発想の刺激に加え、焦点法のように発想の転換を促す効果が得られる場合もある。
【００４０】
タイトルの抽出は、例えば、業務ポータルサイトのトップページ２００あるいはアイデアラボのトップページ２０が更新（再表示）される都度、行われる。更新のタイミングは、一定の時間間隔で行ってもよいし、何らかの操作によるものでもよい。この操作には、ブラウザのリロードボタンの操作も含む。トップページ２０（２００）の更新は、各端末装置への送信に応じて行われるので、逐次新しい異なる刺激を与えることができる。
また、アイデアに対する投票や、個人のアイデア情報へのアクセス記録、あらかじめ設定した興味分野などに基づいて、抽出手段１５による抽出確率を異ならせてもよい。例えば、評価手段１４は、上述したようなアイデアへの投票、当該アイデアの閲覧回数、当該アイデアへのコメント数、当該アイデアから連想されたアイデアの数等から総合得点を算出する。そして、総合得点が所定のしきい値を超えた場合に抽出手段１５が抽出確率を変更する。もちろん、この所定のしきい値が複数設定されており、段階的に抽出確率を変更してもよい。
また、総合得点に基づいて、開発部門や知的財産部門に対して、オンライン告知を行うようにしてもよい。これにより、発想から実現及び発想の保護までの一連の事業活動を迅速且つ同時並行的に実施することができる。
【００４１】
自由な発想を喚起するアイデア発想法には、従来種々のものが提案されている。例えば、連想刺激法という方法は、人の感覚を刺激することにより、アイデアを誘発する方法である。連想刺激法の一つで、刺激語法と称されるものは、語句が記載されたカードから任意のカードを抜き取り、その語句から連想して発想するとういう方法である。
ランダムピックアップの領域２０５に示されたタイトルは、この刺激語に相当する発想支援情報として機能する。
また、上述したように、ブレーンストーミング法は、他人の発想に対する便乗発展を利用する。ランダムピックアップの領域２０５に示されたタイトルは、この「他人の発想」に相当し、便乗発展のきっかけともなる。また、これらタイトルは、ランダムに抽出されるので、過去に見たことのあるタイトルであっても、時間をおいて再度見たことによって、新たな発想が喚起される場合もある。また、これにより、検索されない限りは忘れ去られてしまう可能性が高い過去のアイデアを積極的に活用することもできる。このように、基本的には個人個人が使用する端末装置を用いて、ブレーンストーミング法のようなグループ発想法を擬制することもできる。
【００４２】
トップページ２００の領域２０１には、本日の題目として題目情報が示されている。この題目情報は、題目情報記憶手段１６に記憶され、あらかじめ設定された日時に設定された送信先へ送信される。一つの送信先は、上述したようにトップページ２００である。つまり、各端末装置５である。別の送信先として、インターネット３Ｂを介して、利用者の携帯電話やＰＤＡなどにも送信される。
これにより、利用者は少なくとも題目情報だけは、本人が職場の端末装置５を利用しているか否かに拘わらず、職場外でも知ることができる。例えば、出張時や出社前にも題目情報を知ることができ、出張中や通勤途上などにおける創案の助けとなる。
【００４３】
自由な発想に関しては、リラックスしており、何気ない時間帯（例えば、三上（馬上・枕上・廁上）と言われるような状況。）において、ひらめき易いとも言われている。業務ポータルサイトに発想支援情報が表示されていれば、ちょっとした休憩時間などに存在する上記「三上」の状況において、発想を促進できる可能性が高くなる。また、上述したように通勤や出張時の移動時間をも利用できる可能性が高くなる。
このように、本発明の発想支援装置１を利用することによって、発想の非日常性を緩和することができ、自由な発想を喚起できる可能性が高くなる。
【００４４】
尚、ランダムピックアップと同様に、任意の画像をランダムに１つ又は２つ抽出して表示してもよい。いわゆるスライドショーのように、所定間隔で更新してもよい。この画像は、発想支援情報としての画像刺激となる。画像は、例えば、図８に示すような単純なものである。図８（ａ）は土管、（ｂ）は携帯電話、（ｃ）はつまみ、（ｄ）は自動車である。
連想発想法の一つとして、カタログ法と呼ばれるものがある。これは、イメージが広がりそうな画像などを用意して、それを見て連想して発想するものである。画像は、予めアイデア情報記録手段１３や、別の記録手段に格納しておく。画像の抽出に関しては、抽出手段１５がランダムに抽出する。
【００４５】
図９及び図１０は、発想支援システムの別実施形態の構成例を模式的に示すブロック図である。
図９は、図２に示した構成例に対し、ポータルサイト制御手段１０や題目情報記憶手段１６を有さない点で異なる。つまり、発想支援システム１Ａは業務ポータルサイトとは独立したシステムとして構築されている。図１０は、さらに、評価手段１４を有さない点で異なる。つまり、評価手段１４を有さず、アイデア情報記録手段１３に記録されたアイデア情報を全て平等に扱って抽出を行う。
これらは、共に業務ポータルサイトを利用していないので、日常的な行動としての発想を支援する点では、上記実施形態よりも若干効果は少なくなると考えられる。しかし、中には業務ポータルサイトを有していない業務グループもある。また、部門横断的に任意のグループがこのような発想支援システムを利用して自由な発想を喚起させたい場合もある。このような場合には、図９や図１０に示した発想支援システム１Ａ及び１Ｂは充分効果を期待できるものである。
【００４６】
このように、本発明によれば、利用者に対して受動的な刺激を与え、自由な発想を喚起する発想支援システムを提供することができる。
【産業上の利用可能性】
【００４７】
本発明は、新商品、新サービス、発明など、自由な発想を喚起するための発想支援システムに利用することができる。
【図面の簡単な説明】
【００４８】
【図１】本発明に係る発想支援システムと端末装置とネットワークとの関係を示す説明図
【図２】本発明に係る発想支援システムの構成例を模式的に示すブロック図
【図３】ポータルサイトのトップページの表示例を示す説明図
【図４】新規作成ページの表示例を示す説明図
【図５】アイデアリスト表示ページの表示例を示す説明図
【図６】入力されたアイデア情報の表示及びそれに対するコメントを入力するページの表示例を示す説明図
【図７】図３〜６に示した各画面の遷移の関係を示す説明図
【図８】画像刺激の例を示す説明図
【図９】発想支援システムの別実施形態の構成例を模式的に示すブロック図
【図１０】発想支援システムの別実施形態の構成例を模式的に示すブロック図
【符号の説明】
【００４９】
１、１Ａ、１Ｂ：発想支援システム
３：ネットワーク
３Ａ：イントラネット、３Ｂ：インターネット
５：端末装置
１０：ポータルサイト制御手段
１１：受取手段
１３：アイデア情報記録手段
１４：評価手段
１５：抽出手段
１６：題目情報記憶手段
１７：送信手段
２０：トップページ（業務ポータルサイト）
【図１】
2007323574.tif 000003
【図２】
2007323574.tif 000004
【図３】
2007323574.tif 000005
【図４】
2007323574.tif 000006
【図５】
2007323574.tif 000007
【図６】
2007323574.tif 000008
【図７】
2007323574.tif 000009
【図８】
2007323574.tif 000010
【図９】
2007323574.tif 000011
【図１０】
2007323574.tif 000012